(57)【要約】【課題】原稿に光を適切に照射でき、原稿の読取濃度のムラを低減できる画像読取装置を提供する。【解決手段】原稿Ｇを原稿読取位置Ｒへ搬送する原稿搬送部７０と、原稿搬送部７０により原稿読取位置Ｒへ搬送される原稿Ｇの状態を検出する第１原稿状態検出部４４０，４５０と、原稿読取位置Ｒに位置する原稿Ｇへ照射する光Ｈ０を発光する複数の発光部材５０１の発光量を変更可能に構成される発光部５００と、第１原稿状態検出部４４０，４５０により検出される原稿Ｇの状態に基づいて複数の発光部材５０１の発光量を制御する発光量制御部４１１と、原稿Ｇからの光束Ｈを反射させて光路Ｈを形成するミラー３２１，３２２と、ミラー３２１，３２２により反射された光束Ｈを結像させる結像レンズと、結像レンズの結像位置に配置され、結像レンズによる結像に基づいて原稿Ｇの画像を読み取るイメージセンサとを備える。【選択図】図５
2010273279.tif 000002
【特許請求の範囲】
【請求項１】
原稿を所定の原稿読取位置へ搬送する原稿搬送部と、
前記原稿搬送部により前記原稿読取位置へ搬送される前記原稿の状態を検出する第１原稿状態検出部と、
前記原稿読取位置に位置する前記原稿へ照射する光を発光する複数の発光部材が主走査方向に所定間隔で配置されると共に前記複数の発光部材の発光量をそれぞれ変更可能に構成される発光部と、
前記第１原稿状態検出部により検出される前記原稿の状態に基づいて、前記複数の発光部材の発光量をそれぞれ制御する発光量制御部と、
前記原稿からの光束を反射させて光路を形成する１又は複数のミラーと、
前記１又は複数のミラーにより反射された光束を結像させる結像レンズと、
前記結像レンズの結像位置に配置され、前記結像レンズによる結像に基づいて前記原稿の画像を読み取るイメージセンサと、
を備える画像読取装置。
【請求項２】
前記原稿搬送部は、前記原稿読取位置へ搬送される原稿の透過度を検出する透過度センサを備え、
前記第１原稿状態検出部は、前記透過度センサから構成される
請求項１に記載の画像読取装置。
【請求項３】
前記原稿搬送部は、前記原稿読取位置へ搬送される原稿の光沢度を検出する光沢度センサを備え、
前記第１原稿状態検出部は、前記光沢度センサから構成される
請求項１又は２に記載の画像読取装置。
【請求項４】
前記原稿搬送部により前記原稿の搬送が開始される前に前記原稿の状態を設定する原稿状態設定部を備え、
前記発光量制御部は、前記原稿状態設定部により設定される前記原稿の状態に基づいて、前記複数の発光部材の発光量をそれぞれ制御する
請求項１から３のいずれかに記載の画像読取装置。
【請求項５】
前記原稿読取位置に位置する前記原稿の状態を検出する第２原稿状態検出部を備え、
前記発光量制御部は、第２原稿状態検出部により検出される前記原稿の状態に基づいて、前記複数の発光部材の発光量をそれぞれ制御する
請求項１から４のいずれかに記載の画像読取装置。
【請求項６】
前記イメージセンサは、原稿の搬送方向に対応して配列する複数列のライン型イメージセンサであり、
前記第２原稿状態検出部は、複数列のライン型イメージセンサのうち原稿の搬送方向の最も先に受光する第１ライン型イメージセンサから構成される
請求項５に記載の画像読取装置。
【請求項７】
前記原稿の状態は、前記原稿における搬送方向の上流側の端部近傍の領域及び／又は下流側の端部近傍の領域に基づいて検出される
請求項１から６のいずれかに記載の画像読取装置。
【請求項８】
前記原稿の状態は、原稿の寸法を含む
請求項１から７のいずれかに記載の画像読取装置。
【請求項９】
請求項１から８のいずれかに記載の画像読取装置と、
前記画像読取装置より読み取られた前記原稿の画像に関する画像情報に基づいて、表面に静電潜像が形成される像担持体と、
前記像担持体に形成された静電潜像にトナー画像を現像する現像器と、
前記像担持体に形成されたトナー画像を直接的又は間接的に所定の用紙に転写する転写部と、
前記転写部により前記所定の用紙に転写されたトナー画像を定着させる定着部と、を備える
画像形成装置。
【発明の詳細な説明】
【技術分野】
【０００１】
本発明は、画像読取装置及び画像読取装置を備える画像形成装置に関する。
【背景技術】
【０００２】
従来、原稿の画像を読み取る画像読取装置として、原稿を所定の原稿読取位置へ搬送する原稿搬送部と、原稿読取位置に位置する原稿へ照射する光を発光する発光部と、原稿読取位置に設けられ発光部から発光される光を透過するコンタクトガラス（プラテンガラス）と、原稿からの光を反射させて光路を形成するミラーと、原稿からの光束を結像させる結像レンズと、結像レンズにより結像された原稿の画像を読み取るＣＣＤ（Ｃｈａｒｇｅ―Ｃｏｕｐｌｅｄ  Ｄｅｖｉｃｅ）と、を備える画像読取装置が知られている（例えば、下記特許文献１参照）。
【０００３】
特許文献１に記載の画像読取装置は、プラテンガラスの上方に設けられるプラテンローラと、プラテンガラスとプラテンローラとの隙間量を調整する隙間量調整手段とを備えている。特許文献１に記載の画像読取装置によれば、隙間量調整手段によりプラテンガラスとプラテンローラとの隙間量を調整することによって、原稿読取位置における原稿のぶれや浮きを防ぎ、鮮明な画像の読み取りができるとされている。
【先行技術文献】
【特許文献】
【０００４】
【特許文献１】特開２００３−２０７８５６号公報
【発明の概要】
【発明が解決しようとする課題】
【０００５】
近年、発光部として、複数のＬＥＤ（発光部材）が主走査方向に所定間隔で配置されて構成される発光部が用いられることが多くなっている。
特許文献１に記載の技術は、隙間量の主走査方向のバラツキを考慮したものではなく、プラテンガラスとプラテンローラとの隙間量を主走査方向に変化させることができない。そのため、特許文献１に記載の技術は、複数のＬＥＤが主走査方向に所定間隔で配置されて構成される発光部を備えた原稿読取位置に対して有効ではない。
【０００６】
本発明は、原稿読取位置に位置する原稿へ照射する光を発光する複数の発光部材が主走査方向に所定間隔で配置されて構成される発光部を備えた画像読取装置において、原稿に光を適切に照射でき、原稿の読取濃度のムラを低減できる画像読取装置を提供することを目的とする。
また、本発明は、前記画像読取装置を備える画像形成装置を提供することを目的とする。
【課題を解決するための手段】
【０００７】
本発明は、原稿を所定の原稿読取位置へ搬送する原稿搬送部と、前記原稿搬送部により前記原稿読取位置へ搬送される前記原稿の状態を検出する第１原稿状態検出部と、前記原稿読取位置に位置する前記原稿へ照射する光を発光する複数の発光部材が主走査方向に所定間隔で配置されると共に前記複数の発光部材の発光量をそれぞれ変更可能に構成される発光部と、前記第１原稿状態検出部により検出される前記原稿の状態に基づいて、前記複数の発光部材の発光量をそれぞれ制御する発光量制御部と、前記原稿からの光束を反射させて光路を形成する１又は複数のミラーと、前記１又は複数のミラーにより反射された光束を結像させる結像レンズと、前記結像レンズの結像位置に配置され、前記結像レンズによる結像に基づいて前記原稿の画像を読み取るイメージセンサと、を備える画像読取装置に関する。
【０００８】
また、前記原稿搬送部は、前記原稿読取位置へ搬送される原稿の透過度を検出する透過度センサを備え、前記第１原稿状態検出部は、前記透過度センサから構成されることが好ましい。
【０００９】
また、前記原稿搬送部は、前記原稿読取位置へ搬送される原稿の光沢度を検出する光沢度センサを備え、前記第１原稿状態検出部は、前記光沢度センサから構成されることが好ましい。
【００１０】
また、前記原稿搬送部により前記原稿の搬送が開始される前に前記原稿の状態を設定する原稿状態設定部を備え、前記発光量制御部は、前記原稿状態設定部により設定される前記原稿の状態に基づいて、前記複数の発光部材の発光量をそれぞれ制御することが好ましい。
【００１１】
また、前記原稿読取位置に位置する前記原稿の状態を検出する第２原稿状態検出部を備え、前記発光量制御部は、第２原稿状態検出部により検出される前記原稿の状態に基づいて、前記複数の発光部材の発光量をそれぞれ制御することが好ましい。
【００１２】
また、前記イメージセンサは、原稿の搬送方向に対応して配列する複数列のライン型イメージセンサであり、前記第２原稿状態検出部は、複数列のライン型イメージセンサのうち原稿の搬送方向の最も先に受光する第１ライン型イメージセンサから構成されるが好ましい。
【００１３】
また、前記原稿の状態は、前記原稿における搬送方向の上流側の端部近傍の領域及び／又は下流側の端部近傍の領域に基づいて検出されることが好ましい。
【００１４】
また、前記原稿の状態は、原稿の寸法を含むことが好ましい。
【００１５】
また、本発明は、前記画像読取装置と、前記画像読取装置より読み取られた前記原稿の画像に関する画像情報に基づいて、表面に静電潜像が形成される像担持体と、前記像担持体に形成された静電潜像にトナー画像を現像する現像器と、前記像担持体に形成されたトナー画像を直接的又は間接的に所定の用紙に転写する転写部と、前記転写部により前記所定の用紙に転写されたトナー画像を定着させる定着部と、を備える画像形成装置に関する。
【発明の効果】
【００１６】
本発明によれば、原稿読取位置に位置する原稿へ照射する光を発光する複数の発光部材が主走査方向に所定間隔で配置されて構成される発光部を備えた画像読取装置において、原稿に光を適切に照射でき、原稿の読取濃度のムラを低減できる画像読取装置を提供することができる。
また、本発明によれば、前記画像読取装置を備える画像形成装置を提供することができる。
【図面の簡単な説明】
【００１７】
【図１】コピー機１の各構成要素の配置を説明するための図である。
【図２】画像読取装置３００の読取部３０１の内部構造の概略を示す平面図である。
【図３】画像読取装置３００の読取部３０１を主走査方向Ｙから見た図である。
【図４】照明ユニット３４７及びミラーユニット３４９の移動機構３７０の概要を示す図である。
【図５】画像読取装置３００の原稿読取位置Ｒの周辺の構造を模式的に示す図である。
【図６】ＬＥＤユニット５００からなる照明部３４０を示す斜視図である。
【図７】第１実施形態の画像読取装置３００の機能を示す機能ブロック図である。
【図８】原稿読取位置Ｒにおける用紙Ｔの状態と読取濃度と光量とＬＥＤ５０１の配置との関係の一例を示す図である。
【図９】原稿読取位置Ｒにおける用紙Ｔの状態と読取濃度と光量とＬＥＤ５０１の配置との関係の他の例を示す図である。
【図１０】第１実施形態の画像読取装置３００の動作を示すフローチャートである。
【図１１】第２実施形態の画像読取装置３００の機能を示す機能ブロック図である。
【図１２】第２実施形態におけるＣＣＤ３５８を示す斜視図である。
【図１３】（Ａ）は、第２実施形態における光路ＨとＣＣＤ３５８との関係を示す図で、（Ｂ）は、（Ａ）の部分拡大図である。
【図１４】第２実施形態の画像読取装置３００の動作を示すフローチャートである。
【発明を実施するための形態】
【００１８】
以下、図面を参照して、本発明の画像形成装置の実施形態を説明する。
図１により、本発明の画像形成装置としてのコピー機１における全体構造を説明する。図１は、コピー機１の各構成要素の配置を説明するための図である。
【００１９】
図１に示すように、画像形成装置としてのコピー機１は、コピー機１における上下方向Ｚの上方側に配置される画像読取装置３００と、コピー機１における上下方向Ｚの下方側に配置され画像読取装置３００により読み取られた画像情報に基づいてシート状の被転写材としての用紙Ｔにトナー画像を形成する装置本体Ｍと、を備える。
なお、コピー機１の説明において、副走査方向Ｘをコピー機１の「左右方向」ともいい、主走査方向Ｙ（図１を貫く方向、図２参照）をコピー機１の「前後方向」ともいう。コピー機１の上下方向Ｚは、副走査方向Ｘ及び主走査方向Ｙと直交する。
【００２０】
まず、第１実施形態の画像読取装置３００について説明する。
図１に示すように、画像読取装置３００は、原稿Ｇの画像を読み取る読取部３０１と、読取部３０１の上方側に配置され読取部３０１に原稿Ｇを搬送する原稿搬送部７０と、を備える。
【００２１】
読取部３０１は、筐体３０６と、筐体３０６の上方側に配置される第１読取面３０２Ａ及び第２読取面３０２Ｂと、を備える。また、読取部３０１は、筐体３０６の内部空間３０４に、光源を含む照明部３４０と、複数のミラー３２１、３２２及び３２３と、副走査方向Ｘに移動する第１枠体３１１及び第２枠体３１２と、結像レンズ３５７と、イメージセンサとしてのＣＣＤ３５８と、ＣＣＤ３５８により読み取られた画像情報に対して所定の処理をすると共に該画像情報を装置本体Ｍ側に出力させるＣＣＤ基板３６１と、を備える。照明部３４０及び第１ミラー３２１は、第１枠体３１１に収容される。第２ミラー３２２及び第３ミラー３２３は、第２枠体３１２に収容される。
【００２２】
原稿搬送部７０は、読取部３０１に対して不図示の連結部により開閉可能に連結される。原稿搬送部７０は、上方側に原稿載置部７１を有し、内部に送りローラ（図示せず）を有する。原稿搬送部７０は、読取部３０１の第１読取面３０２Ａ及び第２読取面３０２Ｂを保護する機能を有する。
【００２３】
第１読取面３０２Ａは、原稿搬送部７０により搬送される原稿Ｇを読み取る場合に用いられる読取面である。第１読取面３０２Ａは、原稿Ｇが搬送される第１コンタクトガラス３３５Ａの上面に沿って形成される。第１読取面３０２Ａは、筐体３０６における左側面近傍に位置する。なお、図１に示すこの位置を「第１読取位置」ともいう。
【００２４】
第２読取面３０２Ｂは、原稿搬送部７０を用いずに原稿Ｇを読み取る場合に用いられる読取面である。第２読取面３０２Ｂは、原稿Ｇが載置される第２コンタクトガラス３３５Ｂの上面に沿って形成される。第２読取面３０２Ｂは、第１読取面３０２Ａよりも右側であって、読取部３０１における副走査方向Ｘの大部分に亘っている。
第１読取面３０２Ａ及び第２読取面３０２Ｂは、副走査方向Ｘ及び主走査方向Ｙと直交する方向に拡がる。
【００２５】
原稿搬送部７０により搬送される原稿Ｇを読み取る場合、原稿Ｇは、原稿載置部７１に載置される。原稿載置部７１に載置された原稿Ｇは、原稿搬送部７０の内部に設けられた前記送りローラにより、読取部３０１の第１読取面３０２Ａへ搬送される。この場合、第１枠体３１１及び第２枠体３１２は、前記第１読取位置に配置され、移動しない。そして、原稿搬送部７０により原稿Ｇが第１読取面３０２Ａの上をスライドするように搬送されることで、読取手段としてのＣＣＤ３５８により、原稿Ｇの表面に形成された画像が読み取られる。
【００２６】
また、原稿搬送部７０が開状態の場合、原稿Ｇは、第２読取面３０２Ｂに載置される。この場合、第１枠体３１１及び第２枠体３１２それぞれは、後述する光路Ｈの長さ（光路長）を一定に保持しながら副走査方向Ｘに移動する。これにより、第２読取面３０２Ｂに載置された原稿Ｇの画像が読み取られる。
【００２７】
筐体３０６の内部空間３０４において、複数のミラー３２１、３２２及び３２３は、原稿Ｇからの光を結像レンズ３５７に入光させるための光路Ｈを形成する。また、第１枠体３１１が副走査方向Ｘに一定速度Ａで移動すると共に、第２枠体３１２が副走査方向Ｘに一定速度Ａ／２で移動するため、画像読み取り動作時においても、光路Ｈの長さは一定に維持される。読取部３０１の詳細については後述する。
【００２８】
次に、装置本体Ｍについて説明する。
装置本体Ｍは、所定の画像情報に基づいて用紙Ｔに所定のトナー画像を形成する画像形成部と、用紙Ｔを画像形成部に給紙すると共にトナー画像が形成された用紙Ｔを排紙する給排紙部とを有する。
【００２９】
図１に示すように、画像形成部は、像担持体（感光体）としての感光体ドラム２ａ、２ｂ、２ｃ、２ｄと、帯電部１０ａ、１０ｂ、１０ｃ、１０ｄと、露光ユニットとしてのレーザスキャナユニット４ａ、４ｂ、４ｃ、４ｄと、現像器１６ａ、１６ｂ、１６ｃ、１６ｄと、トナーカートリッジ５ａ、５ｂ、５ｃ、５ｄと、トナー供給部６ａ、６ｂ、６ｃ、６ｄと、ドラムクリーニング部１１ａ、１１ｂ、１１ｃ、１１ｄと、除電器１２ａ、１２ｂ、１２ｃ、１２ｄと、中間転写ベルト７と、１次転写ローラ３７ａ、３７ｂ、３７ｃ、３７ｄと、２次転写ローラ８と、対抗ローラ１８と、定着部９と、を備える。
【００３０】
図１に示すように、給排紙部は、給紙カセット５２と、手差し給紙部６４と、用紙Ｔの搬送路Ｌと、レジストローラ対８０と、第１排紙部５０ａと、第２排紙部５０ｂとを備える。なお、搬送路Ｌは、後述するように、第１搬送路Ｌ１と、第２搬送路Ｌ２と、第３搬送路Ｌ３と、手差し搬送路Ｌａと、戻り搬送路Ｌｂと、後処理搬送路Ｌｃとの集合体である。
【００３１】
以下、画像形成部及び給排紙部の各構成について詳細に説明する。
まず、画像形成部について説明する。
画像形成部においては、感光体ドラム２ａ、２ｂ、２ｃ、２ｄそれぞれの表面に対して、上流側から下流側に順に、帯電部１０ａ、１０ｂ、１０ｃ、１０ｄによる帯電、レーザスキャナユニット４ａ、４ｂ、４ｃ、４ｄによる露光、現像器１６ａ、１６ｂ、１６ｃ、１６ｄによる現像、中間転写ベルト７及び１次転写ローラ３７ａ、３７ｂ、３７ｃ、３７ｄによる１次転写、除電器１２ａ、１２ｂ、１２ｃ、１２ｄによる除電、及びドラムクリーニング部１１ａ、１１ｂ、１１ｃ、１１ｄによるクリーニングが行われる。
また、画像形成部においては、中間転写ベルト７、２次転写ローラ８及び対抗ローラ１８による２次転写、並びに定着部９による定着が行われる。
【００３２】
感光体ドラム２ａ、２ｂ、２ｃ、２ｄそれぞれは、円筒形状の部材からなり、感光体又は像担持体として機能する。感光体ドラム２ａ、２ｂ、２ｃ、２ｄそれぞれは、中間転写ベルト７の進行方向に対して直交する方向に延びる機軸を中心に矢印の方向に回転可能に配置される。感光体ドラム２ａ、２ｂ、２ｃ、２ｄそれぞれにおける表面には、静電潜像が形成される。
【００３３】
帯電部１０ａ、１０ｂ、１０ｃ、１０ｄそれぞれは、感光体ドラム２ａ、２ｂ、２ｃ、２ｄそれぞれの表面に対向して配置される。帯電部１０ａ、１０ｂ、１０ｃ、１０ｄそれぞれは、感光体ドラム２ａ、２ｂ、２ｃ、２ｄそれぞれの表面を一様に負（マイナス極性）又は正（プラス極性）に帯電させる。
【００３４】
レーザスキャナユニット４ａ、４ｂ、４ｃ、４ｄは、露光ユニットとして機能するものであり、感光体ドラム２ａ、２ｂ、２ｃ、２ｄそれぞれの表面から離間して配置される。レーザスキャナユニット４ａ、４ｂ、４ｃ、４ｄそれぞれは、不図示のレーザ光源、ポリゴンミラー、ポリゴンミラー駆動用モータ等を有して構成される。
【００３５】
レーザスキャナユニット４ａ、４ｂ、４ｃ、４ｄそれぞれは、読取部３０１により読み込まれた画像に関する画像情報に基づいて感光体ドラム２ａ、２ｂ、２ｃ、２ｄそれぞれの表面を走査露光する。レーザスキャナユニット４ａ、４ｂ、４ｃ、４ｄそれぞれにより走査露光されることで、感光体ドラム２ａ、２ｂ、２ｃ、２ｄそれぞれの表面に帯電した電荷が除去される。これにより、感光体ドラム２ａ、２ｂ、２ｃ、２ｄそれぞれの表面に静電潜像が形成される。
【００３６】
現像器１６ａ、１６ｂ、１６ｃ、１６ｄそれぞれは、感光体ドラム２ａ、２ｂ、２ｃ、２ｄにそれぞれ対応して設けられ、感光体ドラム２ａ、２ｂ、２ｃ、２ｄの表面に対向して配置される。現像器１６ａ、１６ｂ、１６ｃ、１６ｄそれぞれは、感光体ドラム２ａ、２ｂ、２ｃ、２ｄに形成された静電潜像に各色のトナーを付着させて、カラーのトナー画像を現像する（感光体ドラムの表面にトナー画像を形成する）。現像器１６ａ、１６ｂ、１６ｃ、１６ｄそれぞれは、イエロー、シアン、マゼンタ、ブラックの４つのトナー色に対応する。現像器１６ａ、１６ｂ、１６ｃ、１６ｄそれぞれは、感光体ドラム２ａ、２ｂ、２ｃ、２ｄの表面に対向配置可能な現像ローラ、トナー攪拌用の攪拌ローラ等を有して構成される。
【００３７】
トナーカートリッジ５ａ、５ｂ、５ｃ、５ｄそれぞれは、現像器１６ａ、１６ｂ、１６ｃ、１６ｄそれぞれに対応して設けられており、現像器１６ａ、１６ｂ、１６ｃ、１６ｄそれぞれに対して供給される各色のトナーを収容する。トナーカートリッジ５ａ、５ｂ、５ｃ、５ｄそれぞれは、イエローのトナー、シアンのトナー、マゼンタのトナー、ブラックのトナーを収容する。
【００３８】
トナー供給部６ａ、６ｂ、６ｃ、６ｄそれぞれは、トナーカートリッジ５ａ、５ｂ、５ｃ、５ｄ及び現像器１６ａ、１６ｂ、１６ｃ、１６ｄにそれぞれ対応して設けられており、トナーカートリッジ５ａ、５ｂ、５ｃ、５ｄそれぞれに収容された各色のトナーを、現像器１６ａ、１６ｂ、１６ｃ、１６ｄそれぞれに対して供給する。
【００３９】
中間転写ベルト７には、感光体ドラム２ａ、２ｂ、２ｃ、２ｄに現像された各色のトナー画像が順次転写される。中間転写ベルト７は、従動ローラ３５、駆動ローラからなる対抗ローラ１８、テンションローラ３６等に掛け渡される。テンションローラ３６が中間転写ベルト７を内側から外側に付勢するため、中間転写ベルト７には所定の張力が与えられる。
【００４０】
中間転写ベルト７を挟んで感光体ドラム２ａ、２ｂ、２ｃ、２ｄと反対の側には、１次転写ローラ３７ａ、３７ｂ、３７ｃ、３７ｄそれぞれが対向して配置される。
【００４１】
１次転写ローラ３７ａ、３７ｂ、３７ｃ、３７ｄそれぞれと、感光体ドラム２ａ、２ｂ、２ｃ、２ｄそれぞれとの間で、中間転写ベルト７における所定部分が挟み込まれる。この挟み込まれた所定部分は、感光体ドラム２ａ、２ｂ、２ｃ、２ｄそれぞれにおける表面に押し当てられる。感光体ドラム２ａ、２ｂ、２ｃ、２ｄそれぞれと１次転写ローラ３７ａ、３７ｂ、３７ｃ、３７ｄそれぞれとの間で、それぞれ１次転写ニップＮ１ａ、Ｎ１ｂ、Ｎ１ｃ、Ｎ１ｄが形成される。１次転写ニップＮ１ａ、Ｎ１ｂ、Ｎ１ｃ、Ｎ１ｄそれぞれにおいて、感光体ドラム２ａ、２ｂ、２ｃ、２ｄそれぞれに現像された各色トナー画像が中間転写ベルト７に順次転写される。これにより、中間転写ベルト７には、フルカラーのトナー画像が形成される。
【００４２】
１次転写ローラ３７ａ、３７ｂ、３７ｃ、３７ｄそれぞれには、不図示の電圧印加手段により、感光体ドラム２ａ、２ｂ、２ｃ、２ｄそれぞれに現像された各色トナー画像を中間転写ベルト７に転写させるための１次転写バイアスが印加される。
【００４３】
除電器１２ａ、１２ｂ、１２ｃ、１２ｄそれぞれは、感光体ドラム２ａ、２ｂ、２ｃ、２ｄそれぞれの表面に対向して配置される。除電器１２ａ、１２ｂ、１２ｃ、１２ｄそれぞれは、感光体ドラム２ａ、２ｂ、２ｃ、２ｄそれぞれの表面に光を照射することにより、１次転写が行われた後の感光体ドラム２ａ、２ｂ、２ｃ、２ｄそれぞれの表面を除電する（電荷を除去する）。
【００４４】
ドラムクリーニング部１１ａ、１１ｂ、１１ｃ、１１ｄそれぞれは、感光体ドラム２ａ、２ｂ、２ｃ、２ｄそれぞれの表面に対向して配置される。ドラムクリーニング部１１ａ、１１ｂ、１１ｃ、１１ｄそれぞれは、感光体ドラム２ａ、２ｂ、２ｃ、２ｄそれぞれの表面に残存したトナーや付着物を除去すると共に、除去されたトナーを所定の回収機構へ搬送させて、回収させる。
【００４５】
２次転写ローラ８は、中間転写ベルト７に１次転写されたトナー画像を用紙Ｔに２次転写させる。２次転写ローラ８には、不図示の電圧印加手段により、中間転写ベルト７に形成されたトナー画像を用紙Ｔに転写させるための２次転写バイアスが印加される。
【００４６】
２次転写ローラ８は、中間転写ベルト７に対して接触したり離間したりする。具体的には、２次転写ローラ８は、中間転写ベルト７に当接される当接位置と中間転写ベルト７から離間する離間位置とに移動可能に構成される。詳細には、２次転写ローラ８は、中間転写ベルト７の表面に１次転写されたトナー画像を用紙Ｔに２次転写させる場合には当接位置に移動され、他の場合には離間位置に移動される。
【００４７】
中間転写ベルト７における２次転写ローラ８とは反対側には、対抗ローラ１８が配置される。中間転写ベルト７における所定部分は、２次転写ローラ８と対抗ローラ１８とによって挟み込まれる。そして、用紙Ｔは中間転写ベルト７の外面（トナー画像が１次転写された面）に押し当てられる。２次転写ローラ８と対抗ローラ１８との間で２次転写ニップＮ２が形成される。２次転写ニップＮ２において、中間転写ベルト７に１次転写されたトナー画像が用紙Ｔに２次転写される。
【００４８】
定着部９は、用紙Ｔに２次転写されたトナー画像を構成する各色トナーを溶融させると共に、用紙Ｔに定着させる。定着部９は、ヒータにより加熱される加熱ローラ９ａと、加熱ローラ９ａに圧接される加圧ローラ９ｂと、を備える。加熱ローラ９ａと加圧ローラ９ｂとは、トナー画像が２次転写された用紙Ｔを挟むと共に、搬送する。加熱ローラ９ａと加圧ローラ９ｂとの間に挟まれた状態で用紙Ｔが搬送されることによって、用紙Ｔに転写されたトナーは、溶融されると共に、用紙Ｔに定着する。
【００４９】
次に、給排紙部について説明する。
図１に示すように、装置本体Ｍの下部には、用紙Ｔを収容する２個の給紙カセット５２が上下に配列されて配置される。給紙カセット５２は、装置本体Ｍの筐体から水平方向に引き出し可能に構成される。給紙カセット５２には、用紙Ｔが載置される載置板６０が配置される。給紙カセット５２には、用紙Ｔが載置板６０の上に積層された状態で収容される。載置板６０に載置された用紙Ｔは、給紙カセット５２における用紙送り出し側の端部（図１において左側の端部）に配置されるカセット給紙部５１により搬送路Ｌに送り出される。カセット給紙部５１は、載置板６０上の用紙Ｔを取り出すための前送りコロ６１と、用紙Ｔを１枚ずつ搬送路Ｌに送り出すための給紙ローラ対６３からなる重送防止機構を備える。
【００５０】
装置本体Ｍの右側面（図１において右側）には、手差し給紙部６４が設けられる。手差し給紙部６４は、給紙カセット５２にセットされる用紙Ｔとは異なる大きさや種類の用紙Ｔを装置本体Ｍに供給することを主目的として設けられる。手差し給紙部６４は、閉状態において装置本体Ｍの一部を構成する手差しトレイ６５と、給紙コロ６６とを備える。手差しトレイ６５は、その下端が給紙コロ６６の近傍に回動自在（開閉自在）に取り付けられる。開状態の手差しトレイ６５には、用紙Ｔが載置される。手差し給紙部６４は、開状態の手差しトレイ６５に載置された用紙Ｔを手差し搬送路Ｌａに給紙する。
【００５１】
装置本体Ｍにおける上方側には、第１排紙部５０ａ及び第２排紙部５０ｂが設けられる。第１排紙部５０ａ及び第２排紙部５０ｂは、用紙Ｔを装置本体Ｍの外部に排紙する。第１排紙部５０ａ及び第２排紙部５０ｂの詳細については後述する。
【００５２】
用紙Ｔを搬送する搬送路Ｌは、カセット給紙部５１から２次転写ローラ８までの第１搬送路Ｌ１と、２次転写ローラ８から定着部９までの第２搬送路Ｌ２と、定着部９から第１排紙部５０ａまでの第３搬送路Ｌ３と、手差し給紙部６４から供給される用紙を第１搬送路Ｌ１に合流させる手差し搬送路Ｌａと、第３搬送路Ｌ３を上流側から下流側へ搬送する用紙を表裏反転させて第１搬送路Ｌ１に戻す戻り搬送路Ｌｂと、第３搬送路Ｌ３を上流側から下流側へ搬送する用紙を後処理装置（図示せず）に搬送する後処理搬送路Ｌｃとを備える。
【００５３】
また、第１搬送路Ｌ１の途中には、第１合流部Ｐ１及び第２合流部Ｐ２が設けられている。第３搬送路Ｌ３の途中には、第１分岐部Ｑ１が設けられている。
第１合流部Ｐ１は、手差し搬送路Ｌａが第１搬送路Ｌ１に合流する合流部である。第２合流部Ｐ２は、戻り搬送路Ｌｂが第１搬送路Ｌ１に合流する合流部である。
第１分岐部Ｑ１は、後処理搬送路Ｌｃが第３搬送路Ｌ３から分岐する分岐部である。第１分岐部Ｑ１には、整流部材５８が設けられている。整流部材５８は、定着部９から搬出された用紙Ｔの搬送方向を、第１排紙部５０ａに向かう第３搬送路Ｌ３又は第２排紙部５０ｂに向かう後処理搬送路Ｌｃに整流させる（切り換える）。
【００５４】
第１搬送路Ｌ１の途中（詳細には、第２合流部Ｐ２と２次転写ローラ８との間）には、用紙Ｔを検出するためのセンサと、用紙Ｔのスキュー（斜め給紙）補正やトナー画像とのタイミングを合わせるためのレジストローラ対８０が配置される。センサは、用紙Ｔの搬送方向におけるレジストローラ対８０の直前（上流側）に配置される。レジストローラ対８０は、センサからの検出信号情報に基づいて上述の補正やタイミング調整をして用紙Ｔを搬送する一対のローラである。
【００５５】
戻し搬送路Ｌｂは、用紙Ｔの両面印刷を行う際に、既に印刷されている面とは反対面（非印刷面）を感光体ドラム２ａ、２ｂ、２ｃ、２ｄに対向させるために設けられる搬送路である。戻し搬送路Ｌｂによれば、第１分岐部Ｑ１から排紙部５０側に搬送された用紙Ｔを表裏反転させて第１搬送路Ｌ１に戻して、２次転写ローラ８の上流側に配置されたレジストローラ対８０の上流側に搬送させることができる。戻し搬送路Ｌｂにより表裏反転された用紙Ｔには、感光体ドラム２ａ、２ｂ、２ｃ、２ｄにより非印刷面に対して所定のトナー画像が転写される。
【００５６】
第３搬送路Ｌ３における端部には、第１排紙部５０ａが形成される。第１排紙部５０ａは、装置本体Ｍにおける上方側に配置される。第１排紙部５０ａは、装置本体Ｍの右側面側（図１において右側、手差し給紙部６４側）に向けて開口している。第１排紙部５０ａは、第３搬送路Ｌ３を搬送される用紙Ｔを装置本体Ｍの外部に排紙する。
【００５７】
第１排紙部５０ａにおける開口側には、排紙集積部Ｍ１が形成される。排紙集積部Ｍ１は、装置本体Ｍにおける上面（外面）に形成される。排紙集積部Ｍ１は、装置本体Ｍにおける上面が下方に窪んで形成された部分である。排紙集積部Ｍ１の底面は、装置本体Ｍにおける上面の一部を構成する。排紙集積部Ｍ１には、所定のトナー画像が転写され第１排紙部５０ａから排紙された用紙Ｔが積層して集積される。
【００５８】
後処理搬送路Ｌｃにおける端部には、第２排紙部５０ｂが形成される。第２排紙部５０ｂは、装置本体Ｍにおける上方側に配置される。第２排紙部５０ｂは、装置本体Ｍの左側面側（図１において左側、後処理装置が連結される側）に向けて開口している。第２排紙部５０ｂは、後処理搬送路Ｌｃを搬送される用紙Ｔを装置本体Ｍの外部に排紙する。
第２排紙部５０ｂにおける開口側には、後処理装置（図示せず）が連結される。後処理装置は、画像形成装置（コピー機１）から排出される用紙の後処理（ステープル、パンチ等）を行うものである。
なお、各搬送路の所定位置には用紙検出用のセンサが配置される。
【００５９】
次に、主搬送路Ｌ１〜Ｌ３（第１搬送路Ｌ１、第２搬送路Ｌ２及び第３搬送路Ｌ３を合わせて以下「主搬送路」ともいう）及び戻り搬送路Ｌｂにおける紙詰まり（ＪＡＭ）を解消するための構造について簡単に説明する。
図１に示すように、装置本体Ｍの左側面側（図１において左側）には、主搬送路Ｌ１〜Ｌ３及び戻り搬送路Ｌｂが主に上下方向に延びるように並列している。装置本体Ｍの左側面側（図１において左側）には、装置本体Ｍの側面の一部を形成するように、カバー体４０が設けられている。カバー体４０は、その下端部において、支点軸４３を介して装置本体Ｍに連結されている。支点軸４３は、その軸方向が主搬送路Ｌ１〜Ｌ３及び戻り搬送路Ｌｂを横断する方向に沿って配設されている。カバー体４０は、支点軸４３を中心として閉位置（図１に示す位置）と開位置（図示せず）との間を回動自在に構成されている。
【００６０】
カバー体４０は、支点軸４３によって装置本体Ｍに回動自在に連結された第１のカバー部４１と、同じ支点軸４３によって装置本体Ｍに回動自在に連結された第２のカバー部４２とから構成されている。第１のカバー部４１は、第２のカバー部４２よりも装置本体Ｍの外側（側面側）に位置する。なお、図１において、左下がりの破線でハッチングされた部分が第１のカバー部４１であり、右下がりの破線でハッチングされた部分が第２のカバー部４２である。
【００６１】
カバー体４０が閉位置に位置する状態において、第１のカバー部４１は、その外面側が装置本体Ｍの外面（側面）の一部を形成している。
また、カバー体４０が閉位置に位置する状態において、第２のカバー部４２は、その内面側（装置本体Ｍ側）が主搬送路Ｌ１〜Ｌ３の一部を形成している。
更に、カバー体４０が閉位置に位置する状態において、第１のカバー部４１の内面側と第２のカバー部４２の外面側とが、戻り搬送路Ｌｂの少なくとも一部を形成している。つまり、戻り搬送路Ｌｂは、第１のカバー部４１と第２のカバー部４２との間に形成されている。
【００６２】
本実施形態のコピー機１は、このような構成のカバー体４０を備えることにより、主搬送路Ｌ１〜Ｌ３で紙詰まり（ＪＡＭ）が発生した際には、カバー体４０を図１に示す閉位置から、開位置（図示せず）に回動して主搬送路Ｌ１〜Ｌ３を開放することにより、主搬送路Ｌ１〜Ｌ３に詰まった用紙を処理することができる。一方、戻り搬送路Ｌｂで紙詰まりが発生した際には、カバー体４０を開位置に回動した後、支点軸４３を中心に第２のカバー部４２を装置本体Ｍ側（図１において右側）に回動させて戻り搬送路Ｌｂを開放することにより、戻り搬送路Ｌｂに詰まった用紙を処理することができる。
【００６３】
次いで、図２から図４により、画像読取装置３００の読取部３０１を詳述する。図２は、画像読取装置３００の読取部３０１の内部構造の概略を示す平面図である。図３は、画像読取装置３００の読取部３０１を主走査方向Ｙから見た図である。図４は、照明ユニット３４７及びミラーユニット３４９の移動機構３７０の概要を示す図である。
【００６４】
図２及び図３に示すように、読取部３０１は、筐体３０６と、第１読取面３０２Ａを形成する第１コンタクトガラス３３５Ａと、第２読取面３０２Ｂを形成する第２コンタクトガラス３３５Ｂと、を備える。また、読取部３０１は、筐体３０６の内部空間３０４に、一対の案内レール３４５と、照明ユニット３４７と、ミラーユニット３４９と、照明ユニット３４７及びミラーユニット３４９を副走査方向Ｘに移動させる一対のユニット移動機構３７０と、結像レンズ３５７と、読取手段としてのＣＣＤ３５８と、光学センサ３６２と、を備える。
【００６５】
筐体３０６は、上方側における第１コンタクトガラス３３５Ａ及び第２コンタクトガラス３３５Ｂに対応する領域が開口している。この開口する領域は、第１コンタクトガラス３３５Ａ及び第２コンタクトガラス３３５Ｂにより被覆される。
【００６６】
図２に示すように、一対の案内レール３４５は、筐体３０６における主走査方向Ｙに沿う右側面３０６ａと左側面３０６ｂとの間に配置される。一対の案内レール３４５は、副走査方向Ｘに沿う前面３０６ｃ及び背面３０６ｄそれぞれから主走査方向Ｙの内側に間隔をあけて、副走査方向Ｘに延びるように配置される。一対の案内レール３４５は、第１コンタクトガラス３３５Ａ及び第２コンタクトガラス３３５Ｂと平行に設置される。一対の案内レール３４５上には、照明ユニット３４７の第１枠体３１１及びミラーユニット３４９の第２枠体３１２が副走査方向Ｘに移動可能に載置される。
【００６７】
図２に示すように、一対のユニット移動機構３７０は、それぞれ、読取部３０１の前面３０６ｃと一方の案内レール３４５との間、及び読取部３０１の背面３０６ｄの他方の案内レール３４５との間に配置される。一対のユニット移動機構３７０は、主走査方向Ｙに線対称に構成される。
ユニット移動機構３７０の詳細については後述する。
【００６８】
図３に示すように、照明ユニット３４７は、照明部３４０と、第１ミラー３２１と、照明部３４０及び第１ミラー３２１を収容する第１枠体３１１と、を備える。
【００６９】
照明部３４０は、複数のＬＥＤ５０１が取り付けられたＬＥＤユニット５００を有する。照明部３４０は、原稿読取位置Ｒに光Ｈ０を照射する。第１ミラー３２１は、照明ユニット３４７における上下方向Ｚにおける下方側に配置される。第１ミラー３２１は、反射面が原稿Ｇ及び第２ミラー３２２側に向くように配置される。第１ミラー３２１は、原稿からの光束Ｈ１を第２ミラー３２２に反射させる。
【００７０】
図３に示すように、ミラーユニット３４９は、第２ミラー３２２と、第３ミラー３２３と、第２ミラー３２２及び第３ミラー３２３を収容する第２枠体３１２と、を備える。
【００７１】
第２ミラー３２２は、第２枠体３１２の上下方向Ｚにおける上方側に配置される。第２ミラー３２２は、反射面が第１ミラー３２１及び第３ミラー３２３側を向くように配置される。第２ミラー３２２は、第１ミラー３２１からの光束Ｈ２を第３ミラー３２３側に反射させる。
【００７２】
第３ミラー３２３は、第２枠体３１２の上下方向Ｚにおける下方側に配置される。第３ミラー３２３は、反射面が第２ミラー３２２及び結像レンズ３５７側を向くように配置される。第３ミラー３２３は、第２ミラー３２２からの光束Ｈ３を結像レンズ３５７側に反射させる。
【００７３】
図２及び図３に示すように、読取部３０１の底面３０６ｅにおける右側面３０６ａ寄りには、結像レンズ３５７、ＣＣＤ３５８等を支持する部材であるＩＳＵベース３５６が取り付けられる。ＩＳＵベース３５６の上面には、結像レンズ３５７と、読取手段としてのＣＣＤ３５８とが所定の位置関係で取り付けられる。
【００７４】
結像レンズ３５７は、ＩＳＵベース３５６に固定されるレンズ支持台３５９上に設置される。レンズ支持台３５９は、ＣＣＤ３５８側に配置されるガイド部材３６０により位置が調整可能に配置される。結像レンズ３５７は、読取部３０１の主走査方向Ｙにおける略中央に配置される。結像レンズ３５７は、光路Ｈにおける原稿Ｇ側と反対の端部側に配置される。結像レンズ３５７は、入射された光束Ｈ４を所定位置において結像させる。つまり、結像レンズ３５７は、原稿Ｇの画像を所定位置において結像させる。
【００７５】
ＣＣＤ３５８は、ガイド部材３６０の背面側に配置されるＣＣＤ基板３６１に実装される。ＣＣＤ３５８は、結像レンズ３５７における結像位置に配置される。結像レンズ３５７からの光束は、ガイド部材３６０の中央付近に形成される開口窓３６０ａを通って、ＣＣＤ３５８に入射される。ＣＣＤ３５８に入射される光束における光軸は、ガイド部材３６０の位置を微調整することにより補正される。
【００７６】
光学センサ３６２は、ＩＳＵベース３５６上に配置される。光学センサ３６２は、コンタクトガラス３３５上に載置された原稿Ｇからの反射光を受光するか否かによって、副走査方向Ｘに沿う原稿Ｇのサイズを検知する。
【００７７】
次に、ユニット移動機構３７０について詳述する。
図２及び図４に示すように、ユニット移動機構３７０は、駆動用ワイヤー３７１と、第１固定部材３７２と、第１連結部材３７３と、第１可動プーリ３７４と、第２連結部材３７５と、第１固定プーリ３７６と、駆動プーリ３７７と、第２固定プーリ３７８と、第２可動プーリ３７９と、第３固定プーリ３８０と、弾性部材３８１と、第２固定部材３８２と、を備える。
【００７８】
各固定部材３７２，３８２は、筐体３０６の底面３０６ｅに固定される。各可動プーリ３７４，３７９は、回転軸が主走査方向Ｙに延びるように、ミラーユニット３４９の第１枠体３１１に固定される。各プーリ３７６，３７７，３７８は、回転軸が主走査方向Ｙに延びるように、筐体３０６に固定される。第３固定プーリ３８０は、回転軸が上下方向Ｚに延びるように、筐体３０６に固定される。
【００７９】
駆動用ワイヤー３７１の一端部は、第１連結部材３７３により第１固定部材３７２に連結される。駆動用ワイヤー３７１の他端部は、弾性部材３８１を介して第２固定部材３８２に連結される。駆動用ワイヤー３７１の中間部分は、第２連結部材３７５により照明ユニット３４７の第１枠体３１１に連結されると共に、前記各可動プーリ及び各固定プーリに掛け渡される。駆動用ワイヤー３７１は、駆動プーリ３７７により駆動される。
【００８０】
第１固定プーリ３７６は、筐体３０６の右側面３０６ａの近傍に配置される。第２固定プーリ３７８は、筐体３０６の左側面３０６ｂの近傍に配置される。第３固定プーリ３８０は、読取部３０１の左側面３０６ｂの近傍に配置される。第１固定部材３７２は、副走査方向Ｘに第１固定プーリ３７６と第２固定プーリ３７８との間に配置される。第１連結部材３７３は、駆動用ワイヤー３７１の一端部と第１固定部材３７２とを連結する。第２固定部材３８２は、第３固定プーリ３８０よりも主走査方向Ｙの内側に配置される。弾性部材３８１は、駆動用ワイヤー３７１の端部と第３固定プーリ３８０とを、主走査方向Ｙに弾性力が発現するように連結する。
【００８１】
第１可動プーリ３７４及び第２可動プーリ３７９は、ミラーユニット３４９の第２枠体３１２における主走査方向Ｙの外側に固定される。第１可動プーリ３７４及び第２可動プーリ３７９は、副走査方向Ｘに、第１固定プーリ３７６と第２固定プーリ３７８及び第３固定プーリ３８０との間に配置される。
第２連結部材３７５は、照明ユニット３４７の第１枠体３１１に設けられ、第１枠体３１１と駆動用ワイヤー３７１とを連結する。第２連結部材３７５は、第１固定プーリ３７６と第１可動プーリ３７４及び第２可動プーリ３７９との間に配置される。
【００８２】
駆動用ワイヤー３７１は、次にように掛け渡される。具体的には、駆動用ワイヤー３７１は、一端部が第１連結部材３７３により第１固定部材３７２に連結され、筐体３０６の左側面３０６ｂ側に延び、下側から第１可動プーリ３７４の左半周面に掛けられ、第１可動プーリ３７４の上側から筐体３０６の右側面３０６ａ側に延び、第２連結部材３７５により第１枠体３１１に連結される。そして、駆動用ワイヤー３７１は、第１枠体３１１から筐体３０６の右側面３０６ａ側に延び、上側から第１固定プーリ３７６の右半周面に掛けられ、第１固定プーリ３７６の下側から筐体３０６の左側面３０６ｂ側に延び、下側から第２固定プーリ３７８の左半周面に掛けられる。また、駆動用ワイヤー３７１は、第２固定プーリ３７８の上側から右側面３０６ａ側に延び、下側から第２可動プーリ３７９の右半周面に掛けられ、第２可動プーリ３７９の上側から筐体３０６の左側面３０６ｂ側に延び、第３固定プーリ３８０に掛けられ、主走査方向Ｙの内側に延びる。更に、駆動用ワイヤー３７１の他端部は、弾性部材３８１を介して第２固定部材３８２に連結される。
【００８３】
一対のユニット移動機構３７０において、それぞれの駆動プーリ３７７は、主走査方向Ｙに延びる駆動軸３８３により連結される。一方の駆動プーリ３７７は、不図示の駆動モータにより正転側又は反転側に駆動される。これにより、一方の駆動プーリ３７７が回転すると、この回転と同期して他方の駆動プーリ３７７も回転する。
【００８４】
駆動プーリ３７７の回転に伴って、駆動用ワイヤー３７１は、副走査方向Ｘに、筐体３０６の右側面３０６ａ側に又は左側面３０６ｂ側に移動する。駆動用ワイヤー３７１が移動することで、照明ユニット３４７及びミラーユニット３４９は、案内レール３４５に沿って副走査方向Ｘに移動する。照明ユニット３４７（第１枠体３１１）は、駆動用ワイヤー３７１に連結されているのに対して、ミラーユニット３４９においては、第２枠体３１２に設けられる動滑車である第１可動プーリ３７４及び第２可動プーリ３７９に、駆動用ワイヤー３７１が掛け渡される。そのため、照明ユニット３４７の移動距離とミラーユニット３４９の移動距離との比は２：１となる。
【００８５】
なお、本実施形態においては、動滑車の原理を利用して、照明ユニット３４７の移動距離とミラーユニット３４９の移動距離との比が２：１となる構成を実現しているが、これに制限されない。例えば、大径部及び小径部を有する駆動プーリ及び従動プーリを利用して、照明ユニット３４７の移動距離とミラーユニット３４９の移動距離との比が２：１となる構成を実現することもできる。
【００８６】
次に、図３及び図５から図７により、画像読取装置３００における複数のＬＥＤ５０１の発光量の制御に関する構成を詳述する。図５は、画像読取装置３００の原稿読取位置Ｒの周辺の構造を模式的に示す図である。図６は、ＬＥＤユニット５００からなる照明部３４０を示す斜視図である。図７は、第１実施形態の画像読取装置３００の機能を示す機能ブロック図である。図８は、原稿読取位置Ｒにおける用紙Ｔの状態と読取濃度と光量とＬＥＤ５０１の配置との関係の一例を示す図である。図９は、原稿読取位置Ｒにおける用紙Ｔの状態と読取濃度と光量とＬＥＤ５０１の配置との関係の他の例を示す図である。
【００８７】
図５及び図６に示すように、照明部３４０は、発光部としての２個のＬＥＤユニット５００から構成される。ＬＥＤユニット５００は、基板部材５０３と、基板部材５０３における一方の面に実装される１列のＬＥＤ列を備えている。１列のＬＥＤ列は、複数のＬＥＤ５０１が主走査方向Ｙに一定間隔で並んで配置されることにより形成される。ＬＥＤユニット５００における各ＬＥＤ５０１は、それぞれ発光（光を出射）する。ＬＥＤユニット５００は、後述するように、複数のＬＥＤ５０１の発光量をそれぞれ変更可能に構成される。
【００８８】
図３に示すように、ＬＥＤユニット５００は、各ＬＥＤ５０１から発光される光Ｈ０が原稿読取位置Ｒに照射するように第１枠体３１１に取り付けられる。照明部３４０によれば、一方のＬＥＤユニット５００から原稿読取位置Ｒに位置する原稿Ｇに光Ｈ０が照射され、また、他方のＬＥＤユニット５００から原稿読取位置Ｒに位置する原稿Ｇに光Ｈ０が照射される。
【００８９】
次に、原稿搬送部７０について詳述する。
図５に示すように、原稿搬送部７０は、その内部に、原稿ガイド７１１と、読み取り前ローラ対７１２と、読み取り後ローラ対７１３と、透過度センサ４４０と、光沢度センサ４５０と、を備える。
【００９０】
原稿ガイド７１１は、原稿読取位置Ｒにおいて、第１コンタクトガラス３３５Ａの第１読取面３０２Ａに対向すると共に、第１読取面３０２Ａから微小な間隙を有して離間して配置される。原稿ガイド７１１と第１読取面３０２Ａとの間で、原稿Ｇの搬送経路及び原稿読取位置Ｒが形成される。
【００９１】
読み取り前ローラ対７１２は、原稿読取位置Ｒよりも上流側に設けられるローラ対であり、搬送されてきた原稿Ｇを原稿読取位置Ｒへ繰り出す。
読み取り後ローラ対７１３は、原稿読取位置Ｒよりも下流側に設けられるローラ対であり、原稿読取位置Ｒに位置する原稿Ｇを下流側へ繰り出す。
【００９２】
原稿Ｇの搬送経路において、原稿読取位置Ｒと読み取り前ローラ対７１２との間には、透過度センサ４４０が配置される。読み取り前ローラ対７１２の下流側には、光沢度センサ４５０が配置される。
また、原稿Ｇの搬送経路において、読み取り後ローラ対７１３と原稿読取位置Ｒとの間には、上流側に向けて上向きに傾斜した傾斜面を有する傾斜部材３３４が設けられる。傾斜部材３３４は、副走査方向Ｘに第１コンタクトガラス３３５Ａと第２コンタクトガラス３３５Ｂとの間に配置される。傾斜部材３３４によれば、原稿読取位置Ｒを通過した原稿Ｇが斜め上方に向けて繰り出され、読み取り後ローラ対７１３に向かう。
【００９３】
次に、図７に示す機能ブロック図を参照しながら、第１実施形態の画像読取装置３００の機能について説明する。
図７に示すように、画像読取装置３００は、制御部４１０と、メモリ４２０と、原稿状態設定部４３０と、透過度センサ４４０と、光沢度センサ４５０と、ＬＥＤユニット５００と、を備える。
【００９４】
メモリ４２０は、所定のデータを記憶する。例えば、メモリ４２０は、各種機能を動作させるアプリケーションプログラムや、各種データを記憶する各種記憶部を有する。具体的には、メモリ４２０は、発光量制御部としての第１発光量制御部４１１によるＬＥＤ５０１の発光量の制御の際に用いられる発光量制御パターンを記憶する発光量制御パターン記憶部４２１を有する。
【００９５】
制御部４１０は、画像読取装置３００の全体を制御する。例えば、制御部４１０は、第１発光量制御部４１１として機能し、発光量制御パターン記憶部４２１に記憶される発光量制御パターンを参照して、ＬＥＤユニット５００のＬＥＤ５０１の発光量を制御する。
第１発光量制御部４１１の詳細については後述する。
【００９６】
原稿状態設定部４３０は、原稿搬送部７０により原稿Ｇの搬送が開始される前に原稿Ｇの状態を設定する。原稿状態設定部４３０は、例えば、装置本体Ｍの上面に設けられた操作パネル（図示せず）に設けられている。原稿状態設定部４３０によれば、例えば、ユーザが原稿Ｇの状態（例えば、原稿Ｇの厚さ）を予めわかっているときに、ユーザが原稿状態設定部４３０を操作し、その原稿Ｇの状態を設定することができる。原稿状態設定部４３０により設定された原稿Ｇの状態の信号は、制御部４１０に出力される。
【００９７】
透過度センサ４４０及び光沢度センサ４５０は、いずれも第１原稿状態検出部として機能し、原稿搬送部７０により原稿読取位置Ｒへ搬送される途中の原稿Ｇの状態を検出する。
原稿の状態は、原稿Ｇにおける搬送方向の上流側の端部近傍の領域及び／又は下流側の端部近傍の領域に基づいて検出されることが好ましい。この領域には、印刷（画像の形成）がされていない場合が多く、原稿の状態を正確に検出しやすいからである。原稿の状態の検出精度を向上させるため、原稿の状態を検出する回数は多いほど好ましい。
【００９８】
図５に示すように、透過度センサ４４０は、原稿搬送部７０により原稿読取位置Ｒへ搬送される途中の原稿Ｇの透過度を検出するセンサである。透過度センサ４４０は、発光素子４４１と受光素子４４２とを有する。発光素子４４１と受光素子４４２とは、その間に原稿Ｇを挟んで配置する。そのため、発光素子４４１から発光され且つ原稿Ｇを透過した透過光を、受光素子４４２により受光することができる。透過度センサ４４０は、発光素子４４１から発光された光が受光素子４４２により受光される量（受光量）に基づいて、発光素子４４１と受光素子４２２との間に位置する原稿Ｇの透過度を検出することができる。受光量が大きければ、原稿Ｇの透過度が高く、一方、受光量が小さければ、原稿Ｇの透過度が低いからである。
【００９９】
原稿搬送部７０においては、透過度センサ４４０における透過度の検出機能を利用して、原稿Ｇの厚さを検出している。原稿Ｇの厚さが厚ければ、透過度が低く、一方、原稿Ｇの厚さが薄ければ、透過度が高いからである。従って、透過度センサ４４０により検出された原稿Ｇの透過度に基づいて原稿Ｇの厚さを検出することができる。
透過度センサ４４０により検出された原稿Ｇの透過度（厚さ）の信号は、制御部４１０に出力される。
【０１００】
図５に示すように、光沢度センサ４５０は、原稿搬送部７０により原稿読取位置Ｒへ搬送される途中の原稿Ｇの光沢度を検出するセンサである。光沢度センサ４５０は、発光素子４５１と受光素子４５２とを有する。発光素子４５１と受光素子４５２とは、いずれも原稿Ｇにおける印刷面（画像が形成される面）に対向する側に位置する。そのため、発光素子４５１から発光され且つ原稿Ｇで反射した反射光を、受光素子４５２により受光することができる。
【０１０１】
光沢度センサ４５０は、光沢度を以下のように求めることができる。詳述すると、光沢度は、発光素子４５１から発光された後に原稿Ｇにおける印刷面に所定角度（例えば６０度）で入射した光（入射光）の強さに対する、受光素子４５２により受光される印刷面で反射した光（反射光）の強さの比から、求めることができる。受光素子４５２による反射光の受光量が大きければ、原稿Ｇの光沢度が低く、一方、受光素子４５２による反射光の受光量が小さければ、原稿Ｇの光沢度が高いからである。
【０１０２】
第１発光量制御部４１１は、原稿搬送部７０により原稿読取位置Ｒへ搬送される途中の原稿Ｇの状態に基づいて、複数のＬＥＤ５０１の発光量をそれぞれ制御する。詳細には、第１発光量制御部４１１は、第１原稿状態検出部（透過度センサ４４０及び光沢度センサ４５０）により検出される原稿Ｇの状態に基づいて、複数のＬＥＤ５０１の発光量をそれぞれ制御する。
【０１０３】
また、第１発光量制御部４１１は、原稿状態設定部４３０により設定される原稿Ｇの状態に基づいて、複数のＬＥＤ５０１の発光量をそれぞれ制御する。
【０１０４】
第１発光量制御部４１１によるＬＥＤ５０１の発光量の制御パターンは、原稿Ｇの状態（厚さ、光沢度など）ごとに原稿Ｇの読取濃度のムラが低減するパターンが設定される。制御パターンは、例えば、原稿Ｇの状態毎に原稿Ｇの読取濃度のムラが低減するパターンを画像読取装置３００の実機を用いて繰り返し実測することにより決定することができる。
【０１０５】
例えば、図８に示すように、原稿Ｇが比較的厚い紙の場合に、原稿Ｇの幅方向（主走査方向Ｙ）の両端部近傍が第１読取面３０２Ａ（第１コンタクトガラス３３５Ａ）から離れる傾向があるときには、主走査方向Ｙに配列する複数のＬＥＤ５０１のうち原稿Ｇの幅方向の両端部近傍を照射するＬＥＤ５０１の発光量が多くなるようにＬＥＤ５０１を制御する。
【０１０６】
また、図９に示すように、原稿Ｇが比較的薄い紙の場合に、原稿Ｇの幅方向（主走査方向Ｙ）の中央部近傍が第１読取面３０２Ａ（第１コンタクトガラス３３５Ａ）から離れる傾向があるときには、主走査方向Ｙに配列する複数のＬＥＤ５０１のうち原稿Ｇの幅方向の中央部近傍を照射するＬＥＤ５０１の発光量が多くなるようにＬＥＤ５０１を制御する。
【０１０７】
また、光沢度が高いときには、原稿Ｇで反射する反射光の光量が小さくなるため、ＬＥＤ５０１の発光量が多くなるようにＬＥＤ５０１を制御する。一方、光沢度が低いときには、原稿Ｇで反射する反射光の光量が大きくなるため、ＬＥＤ５０１の発光量が小さくなるようにＬＥＤ５０１を制御する。
【０１０８】
なお、前述の原稿Ｇの読取濃度のムラが低減する制御パターンは、一例であり、画像読取装置３００の構成などによって異なる場合がある。例えば、原稿Ｇが比較的厚い紙の場合に、原稿Ｇの幅方向の中央部近傍が第１読取面３０２Ａから離れる傾向が出ることもあり、また、原稿Ｇが比較的薄い紙の場合に、原稿Ｇの幅方向の両端部近傍が第１読取面３０２Ａから離れる傾向が出ることもある。従って、原稿Ｇの読取濃度のムラが低減する制御パターンは、画像読取装置の種類（機種）毎に適宜設定される。
【０１０９】
本実施形態における画像読取装置３００の作用について説明する。
まず、原稿搬送部７０を用いて、原稿Ｇを読み取る場合について説明する。
まず、原稿搬送部７０（図１参照）を閉状態にする。原稿Ｇを原稿載置部７１に載置すると、不図示のセンサ３６２により原稿載置部７１に原稿Ｇが載置されたことが検知されることで、照明ユニット３４７及びミラーユニット３４９（図３参照）は、筐体３０６の左側面３０６ｂ側の第１読取位置（図１参照）に配置される。
【０１１０】
次いで、不図示のスタートスイッチを押すことで、カラーコピー機１に対して、原稿Ｇの画像を複製することを指示する。スタートスイッチが押されることで、画像読取装置３００による原稿Ｇの画像を読み取り動作が開始される。
【０１１１】
具体的には、まず、原稿載置部７１に載置された原稿Ｇが原稿読取位置Ｒへ搬送される。また、ＬＥＤユニット５００における複数のＬＥＤ５０１が点灯される。点灯された複数のＬＥＤ５０１が発した光Ｈ０は、原稿読取位置Ｒを所定の角度で照射する。従って、原稿読取位置Ｒには、主走査方向Ｙに延びる態様のライン状の光が、副走査方向Ｘの両側から照射される。
【０１１２】
原稿読取位置Ｒに光が照射された状態において、照明ユニット３４７及びミラーユニット３４９それぞれは、副走査方向Ｘに移動しない。そのため、照明ユニット３４７及びミラーユニット３４９それぞれは、光路Ｈにおける光路長を一定に保持する。
【０１１３】
原稿Ｇからの像光束Ｈは、第１ミラー３２１、第２ミラー３２２及び第３ミラー３２３に反射された後、結像レンズ３５７に入射する（図３参照）。
【０１１４】
結像レンズ３５７は、原稿Ｇの画像をＣＣＤ３５８の受光面に結像させる。ＣＣＤ３５８は、受光面に結像された原稿Ｇの画像情報を電気信号に変換して読み込む（図３参照）。
【０１１５】
ＣＣＤ３５８により読み込まれた画像情報は、ＣＣＤ基板３６１に出力される。そして、ＣＣＤ基板３６１に出力された画像情報は、所定の回路基板を介して装置本体Ｍに出力される（図３参照）。
【０１１６】
装置本体Ｍにおいて、入力された画像情報は、不図示の画像形成制御部に入力される。画像形成制御部は、画像情報に基づいて、画像形成部を構成する像担持体としての感光体ドラム２ａから２ｄ、帯電部１０ａから１０ｄ、レーザスキャナユニット４ａから４ｄや現像器１６ａから１６ｄ等を制御する。感光体ドラム２ａ、２ｂ、２ｃ、２ｄには、画像情報に基づいて、所定のトナー画像が形成される（図１参照）。
【０１１７】
搬送路Ｌを介して感光体ドラム２ａ、２ｂ、２ｃ、２ｄにより形成される１次転写ニップＮ１ａ、Ｎ１ｂ、Ｎ１ｃ、Ｎ１ｄに搬送された用紙Ｔには、画像情報に基づいて原稿Ｇの画像と同じ画像が転写される。画像が形成された用紙Ｔは、第１排紙部５０ａ及び第２排紙部５０ｂから装置本体Ｍの外部に排紙される（図１参照）。
【０１１８】
次に、原稿搬送部７０を用いずに、原稿Ｇを読み取る場合について説明する。まず、原稿搬送部７０（図１参照）を開状態にすると共に、第２読取面３０２Ｂ（図３参照）に原稿Ｇを載置する。光学センサ３６２（図３参照）により第２読取面３０２Ｂに原稿が載置されたことが検知されることで、照明ユニット３４７及びミラーユニット３４９（図３参照）は、筐体３０６の左側面３０６ｂ側（図３参照）に配置される。
【０１１９】
次いで、原稿搬送部７０を閉状態にする。そして、不図示のスタートスイッチを押すことで、カラーコピー機１に対して、原稿Ｇの画像を複製することを指示する。スタートスイッチが押されることで、画像読取装置３００による原稿Ｇの画像を読み取り動作が開始される。
【０１２０】
具体的には、まず、ＬＥＤユニット５００における複数のＬＥＤ５０１が点灯される。点灯された複数のＬＥＤ５０１が発した光Ｈ０は、原稿読取位置Ｒを所定の角度で照射する。従って、原稿読取位置Ｒには、主走査方向Ｙに延びる態様のライン状の光が、副走査方向Ｘの両側から照射される。
【０１２１】
原稿読取位置Ｒに光が照射された状態において、照明ユニット３４７及びミラーユニット３４９それぞれは、副走査方向Ｘに移動する。照明ユニット３４７及びミラーユニット３４９それぞれは、光路Ｈにおける光路長を一定に保持しながら移動する。
【０１２２】
原稿Ｇからの像光束Ｈは、第１ミラー３２１、第２ミラー３２２及び第３ミラー３２３に反射された後、結像レンズ３５７に入射する（図３参照）。
【０１２３】
結像レンズ３５７は、原稿Ｇの画像をＣＣＤ３５８の受光面に結像させる。ＣＣＤ３５８は、受光面に結像された原稿Ｇの画像情報を電気信号に変換して読み込む（図３参照）。
【０１２４】
ＣＣＤ３５８により読み込まれた画像情報は、ＣＣＤ基板３６１に出力される。そして、ＣＣＤ基板３６１に出力された画像情報は、所定の回路基板を介して装置本体Ｍに出力される（図３参照）。
【０１２５】
装置本体Ｍにおいて、入力された画像情報は、不図示の画像形成制御部に入力される。画像形成制御部は、画像情報に基づいて、画像形成部を構成する像担持体としての感光体ドラム２ａから２ｄ、帯電部１０ａから１０ｄ、レーザスキャナユニット４ａから４ｄや現像器１６ａから１６ｄ等を制御する。感光体ドラム２ａ、２ｂ、２ｃ、２ｄには、画像情報に基づいて、所定のトナー画像が形成される（図１参照）。
【０１２６】
搬送路Ｌを介して感光体ドラム２ａ、２ｂ、２ｃ、２ｄにより形成される１次転写ニップＮ１ａ、Ｎ１ｂ、Ｎ１ｃ、Ｎ１ｄに搬送された用紙Ｔには、画像情報に基づいて原稿Ｇの画像と同じ画像が転写される。画像が形成された用紙Ｔは、第１排紙部５０ａ及び第２排紙部５０ｂから装置本体Ｍの外部に排紙される（図１参照）。
【０１２７】
次に、図１０により、第１実施形態における第１発光量制御部４１１による複数のＬＥＤ５０１の発光量の制御フローについて説明する。図１０は、第１実施形態の画像読取装置３００の動作を示すフローチャートである。
【０１２８】
図１０に示すように、ステップＳＴ１１において、原稿搬送部７０における原稿Ｇの搬送動作が開始され、原稿載置部７１に載置されている原稿Ｇが原稿読取位置Ｒに向けて搬送される。
【０１２９】
ステップＳＴ１２において、原稿Ｇが光沢度センサ４５０における検出可能位置を通過すると、光沢度センサ４５０は原稿Ｇの光沢度を検出する。検出された光沢度の信号は、第１発光量制御部４１１に出力される。
【０１３０】
ステップＳＴ１３において、原稿Ｇが透過度センサ４４０における検出可能位置を通過すると、透過度センサ４４０は原稿Ｇの透過度を検出する。検出された透過度の信号は、第１発光量制御部４１１に出力される。第１発光量制御部４１１において、透過度から原稿Ｇの厚さが求められる。
【０１３１】
ステップＳＴ１４において、第１発光量制御部４１１は、メモリ４２０の発光量制御パターン記憶部４２１を参照して、検出された原稿Ｇの透過度及び厚さ（透過度）に対応する発光量の制御パターンを決定する。
【０１３２】
ステップＳＴ１５において、第１発光量制御部４１１は、決定した発光量制御パターンに基づいて、ＬＥＤ５０１の発光量の制御を行う。
【０１３３】
ステップＳＴ１６において、ＬＥＤ５０１の発光量が制御されたＬＥＤユニット５００（照明部３４０）からの反射光に基づいて、ＣＣＤ３５８により原稿Ｇの画像が読み取られる。
【０１３４】
第１実施形態によれば、例えば、以下の効果が奏される。
第１実施形態の画像読取装置３００は、原稿Ｇを所定の原稿読取位置Ｒへ搬送する原稿搬送部７０と、原稿読取位置Ｒに位置する原稿Ｇへ照射する光Ｈ０を発光する複数のＬＥＤ５０１が主走査方向Ｙに所定間隔で配置されると共に複数のＬＥＤ５０１の発光量をそれぞれ変更可能に構成されるＬＥＤユニット５００と、を備える。
【０１３５】
そのため、第１実施形態の画像読取装置３００によれば、原稿搬送部７０により原稿読取位置Ｒへ搬送される途中の原稿Ｇの状態又は原稿読取位置Ｒに位置する原稿Ｇの状態に基づいて、複数のＬＥＤ５０１の発光量をそれぞれ変更することで、原稿Ｇの読取濃度のムラを低減することができる。例えば、原稿Ｇにおける読取濃度が高くなる状態の領域に対応するＬＥＤ５０１については、発光量を高くすることで、この領域の読取濃度を低くすることができる。このようにして、原稿Ｇの読取濃度を均一化し、ムラを低減することができる。
【０１３６】
また、第１実施形態の画像読取装置３００は、原稿搬送部７０により原稿読取位置Ｒへ搬送される途中の原稿Ｇの状態に基づいて複数のＬＥＤ５０１の発光量をそれぞれ制御する第１発光量制御部４１１を更に備える。そのため、第１実施形態の画像読取装置３００によれば、原稿Ｇが原稿搬送部７０により原稿読取位置Ｒへ搬送される前に、第１発光量制御部４１１により原稿Ｇの状態に基づいて複数のＬＥＤ５０１の発光量をそれぞれ制御することができる。従って、発光量の制御パターンを決定する処理時間を確保することができ、高精度で原稿Ｇの読取濃度を低減することができる。
【０１３７】
また、第１実施形態の画像読取装置３００は、原稿搬送部７０により原稿読取位置Ｒへ搬送される途中の原稿Ｇの状態を検出する光沢度センサ４５０及び透過度センサ４４０を更に備え、第１発光量制御部４１１は、光沢度センサ４５０及び透過度センサ４４０により検出される原稿の状態（光沢度、厚さ）に基づいて、複数のＬＥＤ５０１の発光量をそれぞれ制御する。そのため、第１実施形態の画像読取装置３００によれば、ユーザが特段の操作しなくても、第１発光量制御部４１１により原稿Ｇの状態に基づいて複数のＬＥＤ５０１の発光量をそれぞれ制御することができる。従って、簡便に高精度で原稿Ｇの読取濃度を低減することができる。
【０１３８】
また、第１実施形態の画像読取装置３００は、原稿搬送部７０により原稿Ｇの搬送が開始される前に原稿Ｇの状態を設定する原稿状態設定部４３０を更に備え、第１発光量制御部４１１は、原稿状態設定部４３０により設定される原稿Ｇの状態に基づいて、複数のＬＥＤ５０１の発光量をそれぞれ制御する。そのため、第１実施形態の画像読取装置３００によれば、例えば、ユーザが原稿の状態として原稿Ｇの厚さや光沢度が予めわかっている場合などにおいて、その厚さや光沢度をユーザの操作により設定することができる。従って、高精度で原稿Ｇの読取濃度を低減することができる。
【０１３９】
また、第１実施形態の画像読取装置３００においては、原稿の状態は、原稿における搬送方向の上流側の端部近傍の領域及び／又は下流側の端部近傍の領域に基づいて検出される。これらの領域には印刷（画像の形成）がされないことが多いので、印刷された領域に基づいて原稿の状態を検出する場合と比べ、高精度で安定的に原稿の状態を検出することができる。
【０１４０】
次に、本発明の別の実施形態について説明する。別の実施形態については、主として、第１実施形態とは異なる点を説明し、第１実施形態と同様の構成について同じ符号を付し、説明を省略する。別の実施形態について特に説明しない点については、第１実施形態についての説明が適宜適用される。別の実施形態においても、第１実施形態と同様の効果が奏される。
【０１４１】
次に、第２実施形態について説明する。図１１は、第２実施形態の画像読取装置３００の機能を示す機能ブロック図である。図１２は、第２実施形態におけるＣＣＤ３５８を示す斜視図である。図１３（Ａ）は、第２実施形態における光路ＨとＣＣＤ３５８との関係を示す図で、図１３（Ｂ）は、図１３（Ａ）の部分拡大図である。
【０１４２】
第１実施形態が、原稿搬送部７０により原稿読取位置Ｒへ搬送される途中の原稿Ｇの状態に基づいて複数のＬＥＤ５０１の発光量を制御するのに対して、第２実施形態は、原稿読取位置Ｒに位置する原稿Ｇの状態に基づいて複数のＬＥＤ５０１の発光量を制御する点が、主として第１実施形態とは異なる。その他の構成は、第１実施形態と同様である。
このように、第２実施形態は、第１実施形態に比して、主としてＬＥＤ５０１の発光量の制御に関する構成が異なるのみであるため、第２実施形態については、ＬＥＤ５０１の発光量の制御に関する構成を中心に説明する。
【０１４３】
図１１に示すように、第２実施形態の画像読取装置３００Ａは、第１実施形態の画像読取装置３００に対して、制御部４１０において第１発光量制御部４１１に代えて、発光量制御部としての第２発光量制御部４１２を備えている。また、第２実施形態の画像読取装置３００Ａは、第１原稿状態検出部としての透過度センサ４４０及び光沢度センサ４５０を備えておらず、第２原稿状態検出部としてのＣＣＤ３５８を備えている。
【０１４４】
第２発光量制御部４１２は、原稿読取位置Ｒに位置する原稿Ｇの状態に基づいて複数のＬＥＤ５０１の発光量をそれぞれ制御する。詳細には、第２発光量制御部４１２は、ＣＣＤ３５８により検出される原稿Ｇの状態に基づいて、複数のＬＥＤ５０１の発光量をそれぞれ制御する。
【０１４５】
ＣＣＤ３５８は、第１実施形態の説明において詳述したように、本来的には、結像レンズ３５７の結像位置に配置され、結像レンズ３５７による結像に基づいて原稿Ｇの画像を読み取るイメージセンサとして機能するものである。第２実施形態は、このＣＣＤ３５８を、原稿読取位置Ｒに位置する原稿Ｇの状態を検出する第２原稿状態検出部として利用する。ＣＣＤ３５８は、後述するように、原稿Ｇの状態として「先に読み取られた原稿の読取濃度」を検出する。
【０１４６】
ＣＣＤ３５８は、いわゆる４ライン型のＣＣＤイメージセンサである。詳述すると、図１２及び図１３に示すように、ＣＣＤ３５８は、上下方向Ｚの上側から下側へ順に、Ｒ（赤）成分を読み取るためのＲ成分用ラインセンサ３５８Ｒ、Ｇ（緑）成分を読み取るためのＧ成分用ラインセンサ３５８Ｇ、Ｂ（青）成分を読み取るためのＢ成分用ラインセンサ３５８Ｂ、原稿の画像をモノクロとして読み取るためのモノクロ用ラインセンサ（第１ライン型イメージセンサ）３５８Ｋの４本のラインセンサを備えている。各ラインセンサ３５８Ｒ，３５８Ｇ，３５８Ｂ，３５８Ｋは、いずれも主走査方向Ｙに沿っている。Ｒ成分用ラインセンサ３５８Ｒ、Ｇ成分用ラインセンサ３５８Ｇ及びＢ成分用ラインセンサ３５８Ｂの３本のラインセンサを合わせて「カラー用ラインセンサ３５８Ｃ」ともいう。
【０１４７】
Ｒ成分用ラインセンサ３５８Ｒは、Ｒ成分を透過する色分解フィルターを有する。Ｇ成分用ラインセンサ３５８Ｇは、Ｇ成分を透過する色分解フィルターを有する。Ｂ成分用ラインセンサ３５８Ｂは、Ｂ成分を透過する色分解フィルターを有する。モノクロ用ラインセンサ３５８Ｋは、色分解フィルターを有していない。
カラー用ラインセンサ３５８Ｃは、原稿の画像をカラー画像として読み取る際に用いられる。モノクロ用ラインセンサ３５８Ｋは、原稿の画像をモノクロ画像として読み取る際に用いられる。モノクロ用ラインセンサ３５８Ｋとカラー用ラインセンサ３５８Ｃとは、択一的に用いられる。
【０１４８】
図１３に示すように、原稿読取位置Ｒにおいて、モノクロ用ラインセンサ３５８Ｋ、Ｂ成分用ラインセンサ３５８Ｂ、Ｇ成分用ラインセンサ３５８Ｇ及びＲ成分用ラインセンサ３５８Ｒそれぞれに対応する読取位置は、副走査方向Ｘ（搬送方向）にずれている。詳述すると、モノクロ用ラインセンサ３５８Ｋに対応する反射光ＨＫが反射する位置、Ｂ成分用ラインセンサ３５８Ｂに対応する反射光ＨＢが反射する位置、Ｇ成分用ラインセンサ３５８Ｇに対応する反射光ＨＧが反射する位置及びＲ成分用ラインセンサ３５８Ｒに対応する反射光ＨＲが反射する位置は、それぞれ副走査方向Ｘの上流側から下流側に配列している。
【０１４９】
従って、４個のラインセンサ３５８Ｋ，３５８Ｂ，３５８Ｇ，３５８Ｒのうち、モノクロ用ラインセンサ３５８Ｋに最も早いタイミングで反射光ＨＫが受光される。その後、Ｂ成分用ラインセンサ３５８Ｂ、Ｇ成分用ラインセンサ３５８Ｇ及びＲ成分用ラインセンサ３５８Ｒの順で反射光ＨＢ，ＨＧ，ＨＲが受光される。第２実施形態は、このような反射光の受光タイミングのズレ（タイムラグ）を利用し、モノクロ用ラインセンサ３５８Ｋに受光される反射光ＨＫに基づいて原稿Ｇの読取濃度のムラを検出し、検出された読取濃度のムラに基づいて、カラー用ラインセンサ３５８Ｃにより読み取られる画像における読取濃度のムラが低減するようにＬＥＤ５０１の発光量の制御を行う。
【０１５０】
次に、図１４により、第２実施形態における第２発光量制御部４１２による複数のＬＥＤ５０１の発光量の制御フローについて説明する。図１４は、第２実施形態の画像読取装置３００の動作を示すフローチャートである。
【０１５１】
図１４に示すように、ステップＳＴ２１において、原稿搬送部７０における原稿Ｇの搬送動作が開始され、原稿載置部７１に載置されている原稿Ｇが原稿読取位置Ｒに向けて搬送される。
【０１５２】
ステップＳＴ２２において、モノクロ用ラインセンサ３５８Ｋに対応する反射光ＨＫに基づいて、モノクロ用ラインセンサ３５８Ｋは原稿Ｇのモノクロ画像を読み取る。
【０１５３】
ステップＳＴ２３において、第２発光量制御部４１２は、モノクロ用ラインセンサ３５８Ｋにより読み取られたモノクロ画像に基づいて、原稿Ｇの読取濃度のムラを検出する。
【０１５４】
ステップＳＴ２４において、第２発光量制御部４１２は、メモリ４２０の発光量制御パターン記憶部４２１を参照して、検出された原稿Ｇの読取濃度のムラに対応する発光量制御パターンを決定する。
【０１５５】
ステップＳＴ２５において、第２発光量制御部４１２は、決定した発光量制御パターンに基づいて、ＬＥＤ５０１の発光量の制御を行う。
【０１５６】
ステップＳＴ２６において、ＬＥＤ５０１の発光量が制御されたＬＥＤユニット５００（照明部３４０）からの反射光のうちカラー用ラインセンサ３５８Ｃに対応する反射光ＨＲ，ＨＧ，ＨＢに基づいて、カラー用ラインセンサ３５８Ｃは原稿Ｇの画像が読み取られる。
【０１５７】
第２実施形態によれば、例えば、以下の効果が奏される。
第２実施形態の画像読取装置３００Ａは、原稿読取位置Ｒに位置する原稿Ｇの状態に基づいて複数のＬＥＤ５０１の発光量をそれぞれ制御する第２発光量制御部４１２を更に備える。そのため、第２実施形態の画像読取装置３００Ａによれば、原稿Ｇが原稿読取位置Ｒに位置するときの原稿Ｇの状態に基づいて、第２発光量制御部４１２により複数のＬＥＤ５０１の発光量をそれぞれ制御することができる。従って、高精度で原稿Ｇの読取濃度を低減することができる。
【０１５８】
第２実施形態の画像読取装置３００Ａは、原稿読取位置Ｒに位置する原稿Ｇの状態を検出する第２原稿状態検出部として、ＣＣＤ３５８を利用しており、また、第２発光量制御部４１２は、ＣＣＤ３５８により検出される原稿Ｇの状態に基づいて、複数のＬＥＤ５０１の発光量をそれぞれ制御する。そのため、第２実施形態の画像読取装置３００Ａによれば、原稿の状態を検出するためのセンサを新たに設けることなく、高精度で原稿Ｇの読取濃度を低減することができる。
【０１５９】
第２実施形態の画像読取装置３００Ａにおいては、第２原稿状態検出部は、ＣＣＤ３５８を構成する複数列のライン型イメージセンサのうち最も早く受光するモノクロ用ラインセンサ３５８Ｋから構成される。モノクロ用ラインセンサ３５８Ｋは、カラー用ラインセンサ３５８Ｃよりも感度が高いので、第２原稿状態検出部として好適に利用される。４ライン型のイメージセンサからなるＣＣＤ３５８を備えた画像読取装置であれば、元々備えているモノクロ用ラインセンサ３５８Ｋを利用して、ＬＥＤ５０１の発光量の制御を行うことができる。
【０１６０】
以上、好適な実施形態として第１実施形態及び第２実施形態について説明したが、本発明は上述した実施形態に限定されることなく種々の形態で実施することができる。例えば、本実施形態において、画像形成装置としてカラーコピー機１について説明しているが、これに限定されず、モノクロコピー機、プリンタ、ファクシミリ及びこれらの複合機等であってもよい。
【０１６１】
ＬＥＤ５０１の発光量の制御パターンを決定する際のパラメータである原稿の状態は、特に制限されないが、例えば、原稿の厚さ、原稿の光沢度、又は先に読み取られた原稿の読取濃度のいずれか一つ以上である。更に、原稿の状態は原稿の寸法を含むことができる。
発光部における発光部材は、ＬＥＤ５０１に制限されず、その他の点状発光部材でもよい。
【０１６２】
また、第１実施形態及び第２実施形態において、画像読取装置３００，３００Ａは、装置本体Ｍと一体的に形成されているが、これに限定されず、装置本体Ｍと別個の筐体により構成されていてもよい。例えば、画像読取装置３００は、装置本体Ｍに対して着脱可能に構成されてもよい。
【符号の説明】
【０１６３】
１……カラーコピー機（画像形成装置）、２ａ，２ｂ，２ｃ，２ｄ……感光体ドラム（像担持体）、７……中間転写ベルト（転写部）、８……２次転写ローラ８（転写部）、９……定着部、１６ａ，１６ｂ，１６ｃ，１６ｄ……現像器、３７ａ，３７ｂ，３７ｃ，３７ｄ……１次転写ローラ（転写部）、７０……原稿搬送部、３００，３００Ａ……画像読取装置、３０１……読取部、３２１，３２２，３２３……ミラー、３４０……照明部、３５７……結像レンズ、３５８……ＣＣＤ（イメージセンサ、第２原稿状態検出部）、４１１……第１発光量制御部（発光量制御部）、４１２……第２発光量制御部（発光量制御部）、３５８Ｋ……モノクロ用ラインセンサ（第１ライン型イメージセンサ）、４３０……原稿状態設定部、４４０……透過度センサ（第１原稿状態検出部）、４５０……光沢度センサ（第１原稿状態検出部）、５００……ＬＥＤユニット（発光部）、５０１……ＬＥＤ（発光部材）、Ｇ……原稿、Ｈ……光束，光路、Ｒ……原稿読取位置、Ｘ……副走査方向、Ｙ……主走査方向、Ｚ……上下方向
【図１】
2010273279.tif 000003
【図２】
2010273279.tif 000004
【図３】
2010273279.tif 000005
【図４】
2010273279.tif 000006
【図５】
2010273279.tif 000007
【図６】
2010273279.tif 000008
【図７】
2010273279.tif 000009
【図８】
2010273279.tif 000010
【図９】
2010273279.tif 000011
【図１０】
2010273279.tif 000012
【図１１】
2010273279.tif 000013
【図１２】
2010273279.tif 000014
【図１３】
2010273279.tif 000015
【図１４】
2010273279.tif 000016